(57)【要約】【課題】パネル部材とは別の部品に依らずともデザイン性の向上を図ることができる冷蔵庫、および、この冷蔵庫を構成するパネル部材を提供する。【解決手段】本実施形態に係る冷蔵庫は、貯蔵室を開閉する扉と、前記扉を構成するパネル部材と、を備え、前記パネル部材は、複数の印刷領域を有し、前記印刷領域には、それぞれ、異なる種類の塗料が印刷されている。【選択図】図５
2019002584.tif 000002
【特許請求の範囲】
【請求項１】
貯蔵室を開閉する扉と、
前記扉を構成するパネル部材と、を備え、
前記パネル部材は、複数の印刷領域を有し、
前記印刷領域には、それぞれ、異なる種類の塗料が印刷されている冷蔵庫。
【請求項２】
前記塗料は、それぞれ鏡面性が異なる請求項１に記載の冷蔵庫。
【請求項３】
前記塗料は、前記パネル部材の裏面に印刷されている請求項１または２に記載の冷蔵庫。
【請求項４】
前記塗料は、少なくとも一部が他の前記塗料と重なっている請求項１から３の何れか１項に記載の冷蔵庫。
【請求項５】
前記塗料の少なくとも１つは、金属材料を含む金属塗料である請求項１から４の何れか１項に記載の冷蔵庫。
【請求項６】
前記金属塗料は、前記扉の手掛け部に沿って印刷されている請求項５に記載の冷蔵庫。
【請求項７】
前記扉には、電極を備える操作パネルが設けられており、
前記金属塗料は、前記パネル部材のうち前記電極と対向する部分と異なる位置に印刷されている請求項５または６に記載の冷蔵庫。
【請求項８】
前記扉は、複数備えられており、
前記扉を構成する前記パネル部材には、それぞれ前記金属塗料が印刷されており、
相互に隣接する前記扉において、前記金属塗料が同一直線上に位置している請求項５から７の何れか１項に記載の冷蔵庫。
【請求項９】
前記金属塗料は、前記パネル部材の異なる辺に印刷されており、それぞれの辺に印刷されている前記金属塗料が前記パネル部材のコーナー部において重なっていない請求項５から８の何れか１項に記載の冷蔵庫。
【請求項１０】
前記パネル部材は、４辺を有する四角形状に形成され、少なくとも１辺に前記金属塗料が印刷されている請求項５から９の何れか１項に記載の冷蔵庫。
【請求項１１】
前記パネル部材は、端部に傾斜面を有し、
前記金属塗料は、前記傾斜面の先端部よりも中央側に印刷されている請求項５から１０の何れか１項に記載の冷蔵庫。
【請求項１２】
前記パネル部材は、強化ガラスにより形成されている請求項１から１１の何れか１項に記載の冷蔵庫。
【請求項１３】
前記パネル部材は、前記扉の前板を構成している請求項１から１３の何れか１項に記載の冷蔵庫。
【請求項１４】
複数の印刷領域を有し、前記印刷領域に、それぞれ、異なる種類の塗料が印刷されているパネル部材。
【発明の詳細な説明】
【技術分野】
【０００１】
本実施形態は、冷蔵庫およびパネル部材に関する。
【背景技術】
【０００２】
従来、意匠性を高めるために筐体の表面に化粧板を設けることがあり、例えば冷蔵庫であれば、貯蔵室を開閉する扉の前面にガラス板などのパネル部材を設けることがある（例えば、特許文献１参照）。
【先行技術文献】
【特許文献】
【０００３】
【特許文献１】特開２０１６−５０７６０号公報
【発明の概要】
【発明が解決しようとする課題】
【０００４】
扉にパネル部材を備える冷蔵庫において、デザイン性の向上を図る観点から、パネル部材の周辺に、艶加工、光沢加工、鏡面加工などの装飾をパネル部材とは別の部品により実現することが行われている。
【０００５】
本実施形態は、パネル部品とは別の部品に依らずともデザイン性の向上を図ることができる冷蔵庫、および、この冷蔵庫を構成するパネル部材を提供する。
【課題を解決するための手段】
【０００６】
本実施形態に係る冷蔵庫は、貯蔵室を開閉する扉と、前記扉を構成するパネル部材と、を備える。前記パネル部材は、複数の印刷領域を有している。前記印刷領域には、それぞれ、異なる種類の塗料が印刷されている。
【０００７】
本実施形態に係るパネル部材は、複数の印刷領域を有している。前記印刷領域には、それぞれ、異なる種類の塗料が印刷されている。
【図面の簡単な説明】
【０００８】
【図１】本実施形態に係る冷蔵庫の構成例を概略的に示す正面図
【図２】パネル部材の構成例を概略的に示す背面図
【図３】扉の手掛け部およびその周辺部分の構成例を概略的に示す縦断側面図
【図４】パネル部材の要部の構成例を概略的に示す縦断側面図
【図５】金属塗料の印刷パターンの一例を示す図（その１）
【図６】金属塗料の印刷パターンの一例を示す図（その２）
【図７】金属塗料の印刷パターンの一例を示す図（その３）
【図８】金属塗料の印刷パターンの一例を示す図（その４）
【図９】金属塗料の印刷パターンの一例を示す図（その５）
【図１０】操作パネルに備えられるプリント基板の構成例を概略的に示す図
【図１１】パネル部材のコーナー部の構成例を概略的に示す図
【図１２】金属塗料の印刷範囲の規定例を示すパネル部材の先端部分の断面図
【発明を実施するための形態】
【０００９】
以下、冷蔵庫およびパネル部材に係る一実施形態について図面を参照しながら説明する。図１に例示する冷蔵庫１は、貯蔵室を開閉する扉の前板つまり化粧板として、パネル部材２を用いたものである。この冷蔵庫１は、断熱性を有するキャビネットにより構成されており、その内部に上から順に冷蔵室３、野菜室４が設けられており、野菜室４の下に製氷室５と上部冷凍室６が左右に並んで設けられ、最下部に下部冷凍室７が設けられている。このうち、冷蔵室３と野菜室４は冷蔵温度帯の貯蔵室であり、製氷室５、上部冷凍室６および下部冷凍室７は冷凍温度帯の貯蔵室である。
【００１０】
これら冷蔵室３、野菜室４、製氷室５、上部冷凍室６および下部冷凍室７は、周知のように前面開口を有し、その前面開口が扉によって開閉される貯蔵室である。冷蔵室３は、左右に並んで設けられ、左端側を軸に回動し、ユーザがタッチ操作する操作パネル８が設けられている左扉３ａと、右端側を軸に回動する右扉３ｂとによって前面開口が開閉される。また、野菜室４、製氷室５、上部冷凍室６および下部冷凍室７は、引き出し式の野菜室扉４ａ、製氷室扉５ａ、上部冷凍室扉６ａおよび下部冷凍室扉７ａによってそれぞれの前面開口が開閉される。
【００１１】
左扉３ａ、野菜室扉４ａ、製氷室扉５ａおよび下部冷凍室扉７ａは、それぞれの左端が同一直線上に並んでいる。また、右扉３ｂ、野菜室扉４ａ、上部冷凍室扉６ａおよび下部冷凍室扉７ａは、それぞれの右端が同一直線上に並んでいる。また、左扉３ａと製氷室扉５ａは、同じ幅に設定されている。また、右扉３ｂと上部冷凍室扉６ａは、同じ幅に設定されている。このため、左扉３ａと右扉３ｂとの間の隙間は、製氷室扉５ａと上部冷凍室扉６ａとの間の隙間と同一直線上に位置している。
【００１２】
各扉の前面には、それぞれパネル部材２が設けられている。本実施形態では、パネル部材２は、その支持部となる図示しないフレームに支持された状態となっている。また、パネル部材２は、冷蔵庫１の前面に位置する全ての扉に、それぞれ設けられている。なお、パネル部材２は、冷蔵庫１の一部の扉のみに設ける構成としてもよい。また、パネル部材２は、例えば接着テープなどで構成される図示しない接着部材によって扉の前面側に接着されている。
【００１３】
パネル部材２は、例えば風冷強化法で製造された強化ガラス製の板材により概ね四角形状に形成されている。本実施形態では、例えば日本協業規格のＪＩＳ  Ｒ  ３２０６を満足するものを強化ガラスと称している。このパネル部材２は、ユーザから視認される側となる表面と、その表面とは反対側の裏面と、を有している。
【００１４】
パネル部材２は、表面側および裏面側の双方において、端部つまり四角形状の４辺のそれぞれに面取りを施した構成とすることができる。この面取りは、意匠性を高めるために正面視における面取り部分つまり傾斜面の幅を視認しやすいように広めに取った幅広面取り加工とするとよい。面取りを施す場合は、パネル部材２の少なくとも１つの辺に施してもよいし、２辺以上の複数の辺に施してもよい。また、パネル部材２は、４辺のそれぞれに共通の面取りを施してもよいし、異なる面取りを施してもよい。また、パネル部材２は、コーナー部つまりは四角形状の４隅にも面取りを施した構成とすることもできる。パネル部材２のコーナー部における面取りは、直線状の面取り、いわゆるＣ面取りであってもよいし、曲線状の面取り、いわゆるＲ面取りであってもよい。
【００１５】
次に、パネル部材２の詳細について説明する。図２に例示するように、パネル部材２の裏面側には、複数、この場合、２つの印刷領域Ｒ１，Ｒ２が設けられている。パネル部材２の裏面は、扉側つまり扉の前面が対向する側の面である。このパネル部材２は、図３に例示するように、ユーザが手指を掛ける手掛け部４ｂを有する野菜室扉４ａの前面に取り付けられるものであり、この場合、印刷領域Ｒ１は、パネル部材２の裏面の上下の両端部のうち手掛け部４ｂ側に配置される上端部に沿って細い直線状に設けられている。また、印刷領域Ｒ１は、パネル部材２の左右の両端部の間にわたって連側的に設けられている。なお、印刷領域Ｒ１は、パネル部材２の左右の両端部の間にわたって断続的に設けてもよい。一方、印刷領域Ｒ２は、パネル部材２の裏面のうち印刷領域Ｒ１以外の部分に設けられている。本実施形態では、パネル部材２の裏面のうち印刷領域Ｒ１以外の全部が印刷領域Ｒ２となっている。
【００１６】
そして、図４に例示するように、これら印刷領域Ｒ１，Ｒ２には、それぞれ、異なる種類の塗料Ｐ１，Ｐ２が印刷されている。本実施形態では、塗料Ｐ１，Ｐ２は、周知のスクリーン印刷によりパネル部材２の裏面に印刷されている。なお、塗料の印刷手法は、スクリーン印刷に限られるものではなく、例えばスプレーなどの種々の印刷手法を採用することができる。
【００１７】
印刷領域Ｒ１に印刷される塗料Ｐ１は、金属材料を含む金属塗料、いわゆる、ミラーインクである。以下、塗料Ｐ１を「金属塗料Ｐ１」と称する。本実施形態では、金属塗料Ｐ１は、金属材料として例えば粉状のアルミニウムを含んでいる。なお、金属材料Ｐ１に含まれる金属材料は、アルミニウムに限られない。
【００１８】
印刷領域Ｒ２に印刷される塗料Ｐ２は、例えばパネル部材２を着色するための塗料であり、例えば、一般的な溶剤インクである。以下、塗料Ｐ２を「着色用塗料Ｐ２」と称する。着色用塗料Ｐ２は、金属材料を含んでいてもよいし、含んでいなくてもよい。本実施形態では、着色用塗料Ｐ２は、印刷領域Ｒ１に金属塗料Ｐ１が印刷された後に、印刷領域Ｒ１も含むパネル部材２の裏面の全体に印刷される。そのため、パネル部材２の裏面において、金属塗料Ｐ１は、その全部が他の着色用塗料Ｐ２と重なっている。なお、金属塗料Ｐ１は、その少なくとも一部が他の着色用塗料Ｐ２と重なるように構成してもよい。
【００１９】
金属塗料Ｐ１と着色用塗料Ｐ２とでは、光を反射する鏡面性、光を反射する反射度、輝度、色、印刷後の表面の粗さ、光を乱反射する乱反射性、光を透過する透過性などの種々の性質が異なっている。なお、金属塗料Ｐ１は、少なくとも鏡面性が他の塗料の鏡面性と異なっていればよい。金属塗料Ｐ１は、少なくとも鏡面性が他の塗料と異なっていることにより、光が当たったときの輝き方、いわゆる、キラキラ感が、他の塗料よりも優れたものとなっている。なお、図示はしないが、野菜室扉４ａ以外の扉に取り付けられるパネル部材２も、同様に、相互の性質、少なくとも鏡面性が相互に異なる複数種類の塗料、例えば、金属塗料Ｐ１と着色用塗料Ｐ２とを印刷したパネル部材２とすることができる。
【００２０】
本実施形態によれば、扉の前板つまり冷蔵庫１の前面を構成するパネル部材２は、複数の印刷領域Ｒ１，Ｒ２を有し、印刷領域Ｒ１には金属塗料Ｐ１が施され、印刷領域Ｒ２には、金属塗料Ｐ１とは異なる種類の塗料である着色用塗料Ｐ２が施されている。即ち、パネル部材２自体に各種の装飾用の塗料を施すようにした。従って、パネル部品２とは別の部品に依らずともデザイン性の向上を図ることができる。
【００２１】
また、本実施形態によれば、金属塗料Ｐ１と着色用塗料Ｐ２は、それぞれ、少なくとも鏡面性が異なっている。この構成によれば、金属塗料Ｐ１が印刷されている印刷領域Ｒ１と着色用塗料Ｐ２が印刷されている印刷領域Ｒ２とで、それぞれ異なる輝き方、いわゆるキラキラ感を形成することができ、デザイン性の一層の向上を図ることができる。特に、本実施形態では、少なくとも１つの塗料を、金属材料を含む金属塗料Ｐ１で構成しているから、この金属塗料Ｐ１が印刷された印刷領域Ｒ１においては、よりキラキラ感の強いデザインを提供することができる。
【００２２】
また、本実施形態によれば、金属塗料Ｐ１および着色用塗料Ｐ２は、何れもパネル部材２の裏面側に印刷されている。この構成によれば、金属塗料Ｐ１および着色用塗料Ｐ２が扉の前面側つまり冷蔵庫１の前面側に露出しないため、塗装に傷が付くことや、塗装が剥がれてしまうことを回避することができ、美しい外観を長期にわたって維持することができる。
【００２３】
また、本実施形態によれば、金属塗料Ｐ１は、その全部が着色用塗料Ｐ２に重なっている。この構成によれば、印刷領域Ｒ１と印刷領域Ｒ２との間に塗料が印刷されていない隙間が形成されてしまうことを回避することができ、デザイン性の一層の向上を図ることができる。また、本実施形態によれば、金属塗料Ｐ１の全体を覆うようにして着色料塗料Ｐ２が印刷されているから、着色用塗料Ｐ２により、よりキラキラ感の強い金属塗料Ｐ１を保護することができる。
【００２４】
なお、金属塗料Ｐ１は、その一部、例えば、印刷領域Ｒ２側の辺部が着色用塗料Ｐ２に覆われた構成としてもよく、この場合であっても、印刷領域Ｒ１と印刷領域Ｒ２との間に塗料が印刷されていない隙間が形成されてしまうことを回避することができる。また、着色料塗料Ｐ２により覆われた部分では金属塗料Ｐ１を保護することができ、この部分から金属塗料Ｐ１が剥がれ出すことを防止することができる。また、パネル部材２は、さらに着色用塗料Ｐ２を覆うようにして保護層や抑え層などを設ける構成としてもよい。
【００２５】
また、本実施形態によれば、金属塗料Ｐ１は、野菜室扉４ａの手掛け部４ｂに沿って印刷されている。この構成によれば、扉の開閉の際にユーザが手指を掛ける手掛け部４ｂに沿って、キラキラ感の強い領域を形成することができ、デザイン性の一層の向上を図ることができる。なお、この構成は、野菜室扉４ａ以外の扉にも適用することができる。
【００２６】
なお、本実施形態は、上述した一実施形態に限られるものではなく、例えば、次のように拡張または変更してもよい。例えば、パネル部材２は、複数の印刷領域のうち少なくとも１つの領域に金属塗料Ｐ１を印刷し、その他の印刷領域には塗料を印刷しない構成としてもよい。
【００２７】
また、図５〜図９に例示するように、冷蔵庫１に複数の扉３ａ，３ｂ，４ａ，５ａ，６ａ，７ａが備えられている場合には、それぞれの扉３ａ，３ｂ，４ａ，５ａ，６ａ，７ａに備えられるパネル部材２に、それぞれ金属塗料Ｐ１を印刷するように構成してもよい。この場合、相互に隣接する扉において、金属塗料Ｐ１が同一直線上に位置するように構成するとよい。なお、図５〜図９に示す構成例では、金属塗料Ｐ１が印刷されている部分を、便宜的に、太線で示している。
【００２８】
図５に示す構成例では、相互に横方向に隣接する製氷室扉５ａおよび上部冷凍室扉６ａのパネル部材２の上端部にそれぞれ金属塗料Ｐ１が印刷されており、製氷室扉５ａの金属塗料Ｐ１と上部冷凍室扉６ａの金属塗料Ｐ２が、横方向に延びる同一直線状に位置した構成となっている。なお、図５に例示する構成例では、野菜室扉４ａだけでなく下部冷凍室扉７ａのパネル部材２にも、図示しない手掛け部に沿って金属塗料Ｐ１が印刷されている。
【００２９】
図６に例示する構成例では、扉３ａ，３ｂ，４ａ，５ａ，６ａ，７ａにそれぞれ備えられるパネル部材２は、何れも、その４辺に沿って金属塗料Ｐ１が印刷された構成となっている。この構成によれば、上下方向に隣接する扉３ａ，４ａ，５ａ，７ａの左端に沿って、また、上下方向に隣接する扉３ｂ，４ａ，６ａ，７ａの右端に沿って、直線的に一体感のあるデザインを形成することができる。また、冷蔵庫１の中央部においては、野菜室扉４ａを挟むものの、扉３ａ，５ａの右端に沿って、また、扉３ｂ，６ａの左端に沿って、直線的に一体感のあるデザインを形成することができる。また、左右方向に隣接する扉３ａ，３ｂの上端および下端に沿って、また、左右方向に隣接する扉５ａ，６ａの上端および下端に沿って、直線的に一体感のあるデザインを形成することができる。
【００３０】
図７に例示する構成例では、扉３ａに備えられるパネル部材２は、その上辺および左辺に沿って金属塗料Ｐ１が印刷され、扉３ｂに備えられるパネル部材２は、その上辺および右辺に沿って金属塗料Ｐ１が印刷され、扉４ａに備えられるパネル部材２は、その左辺および右辺に沿って金属塗料Ｐ１が印刷され、扉５ａに備えられるパネル部材２は、その左辺に沿って金属塗料Ｐ１が印刷され、扉６ａに備えられるパネル部材２は、その右辺に沿って金属塗料Ｐ１が印刷され、扉７ａに備えられるパネル部材２は、その下辺、左辺、右辺に沿って金属塗料Ｐ１が印刷されている。
【００３１】
この構成例によれば、上下方向に隣接する扉３ａ，４ａ，５ａ，７ａの左端に沿って、また、上下方向に隣接する扉３ｂ，４ａ，６ａ，７ａの右端に沿って、直線的に一体感のあるデザインを形成することができる。また、左右方向に隣接する扉３ａ，３ｂの上端に沿って、直線的に一体感のあるデザインを形成することができる。また、冷蔵庫１全体として見ると、冷蔵庫１の前面の４辺が金属塗料Ｐ１により囲まれたデザインを形成することができる。
【００３２】
また、図８に例示する構成例では、扉３ａに備えられるパネル部材２は、その左辺に沿って金属塗料Ｐ１が印刷され、扉３ｂに備えられるパネル部材２は、その右辺に沿って金属塗料Ｐ１が印刷され、扉４ａに備えられるパネル部材２は、その左辺および右辺に沿って金属塗料Ｐ１が印刷され、扉５ａに備えられるパネル部材２は、その左辺に沿って金属塗料Ｐ１が印刷され、扉６ａに備えられるパネル部材２は、その右辺に沿って金属塗料Ｐ１が印刷され、扉７ａに備えられるパネル部材２は、その左辺および右辺に沿って金属塗料Ｐ１が印刷されている。
【００３３】
この構成例によれば、上下方向に隣接する扉３ａ，４ａ，５ａ，７ａの左端に沿って、また、上下方向に隣接する扉３ｂ，４ａ，６ａ，７ａの右端に沿って、直線的に一体感のあるデザインを形成することができる。また、冷蔵庫１全体として見ると、冷蔵庫１の前面が左端および右端の金属塗料Ｐ１により挟まれたデザインを形成することができる。
【００３４】
図５〜図８に例示した構成例によれば、複数の扉を備える冷蔵庫において、隣接する扉の金属塗料Ｐ１が同一直線状に位置している。これにより、隣接する扉間で一体感のあるデザインを形成することができ、冷蔵庫１の外観、意匠性の向上を図ることができる。
【００３５】
また、図９に例示する構成例では、上から順に、冷蔵室３が設けられており、冷蔵室３の下に製氷室５と上部冷凍室６が左右に並んで設けられており、製氷室５および上部冷凍室６の下に下部冷凍室７が設けられており、下部冷凍室７の下に野菜室４が設けられている。即ち、左右方向に隣接する扉３ａ，３ｂおよび扉５ａ，６ａの二組が冷蔵庫１の上部側に設けられ、その下に、扉７ａ，４ａが上下に隣接して設けられた構成となっている。
【００３６】
この構成例において、扉３ａに備えられるパネル部材２は、その右部に沿って金属塗料Ｐ１が印刷され、扉３ｂに備えられるパネル部材２は、その左部に沿って金属塗料Ｐ１が印刷され、扉５ａに備えられるパネル部材２は、その右部に沿って金属塗料Ｐ１が印刷され、扉６ａに備えられるパネル部材２は、その左部に沿って金属塗料Ｐ１が印刷されている。
【００３７】
この構成例によれば、冷蔵庫１の中央部においては、扉３ａ，５ａの右端に沿って、また、扉３ｂ，６ａの左端に沿って、直線的に一体感のあるデザインを形成することができる。また、冷蔵庫１全体として見ると、冷蔵庫１の中央部に、直線的に一体感のあるデザインを形成することができる。
【００３８】
また、操作パネル８は、いわゆる静電容量式のタッチスイッチで構成されており、図１０に例示するように、プリント基板２０の表面に複数の電極２１を備えている。プリント基板２０は、例えば透明なフィルム部材を主体として構成されている。電極２１は、操作パネル８に設けられる各種のボタンに応じて複数設けられており、それぞれ配線２２が設けられている。
【００３９】
このようなプリント基板２０が扉内に設けられている場合には、金属塗料Ｐ１は、パネル部材２のうち特に電極２１と対向する部分とは異なる位置に印刷するとよい。即ち、金属塗料Ｐ１は、電極２１からの電気的な影響が及ばないよう、これら電極２１から所定距離離れた部位に位置するように印刷するとよい。これにより、電極２１からの電気的な影響により金属塗料Ｐ１が劣化してしまうことを回避することができる。また、金属塗料Ｐ１が電極２１に電気的な影響を及ぼして誤検知などが発生してしまうことを回避することができる。
【００４０】
また、金属塗料Ｐ１は、配線２２からも所定距離離れた部位に位置するように印刷するとよい。これにより、配線２２からの電気的な影響が金属塗料Ｐ１に及ぶことを回避することができ、金属塗料Ｐ１の劣化や誤検知の発生を一層抑えることができる。なお、例えば設計の都合上で電極２１や配線２２の近傍に金属塗料Ｐ１を設けざるを得ない場合には、これら電極２１や配線２２と金属塗料Ｐ１との間に電気的な絶縁物を設ける構成とするとよい。これにより、電極２１や配線２２と金属塗料Ｐ１との距離が、電気的な影響が及び得るほどに近い場合であっても、電気的な絶縁物による遮蔽効果により、金属塗料Ｐ１の劣化や誤検知の発生を回避することができる。なお、電気的な絶縁物に代えて、電気的な絶縁性を有する塗料を金属塗料Ｐ１の裏側に印刷する構成としてもよい。
【００４１】
また、図１１に例示するように、パネル部材２の異なる辺にそれぞれ金属塗料Ｐ１を印刷する場合には、それぞれの辺に印刷される金属塗料Ｐ１をパネル部材２のコーナー部２ｃにおいて重ならないようにするとよい。即ち、スクリーン印刷によれば、第１印刷方向Ａ１の版はパネル部材２のコーナー部２ｃも印刷部分として含む版とし、第２印刷方向Ａ２の版はパネル部材２のコーナー部２ｃを印刷部分として含まない版とすることを容易に行うことができる。そのため、パネル部材２のコーナー部２ｃにおいて金属塗料Ｐ１が重なっていない構成を容易に得ることができる。パネル部材２のコーナー部２ｃにおいて金属塗料Ｐ１が重なっている構成では、その部分において金属塗料Ｐ１の塗装の厚さが大きくなってしまい、扉の前面に取り付ける際の障害となるおそれがある。そのため、コーナー部２ｃにおいて金属塗料Ｐ１が重なっていないパネル部材２を用いることにより、そのパネル部材２を扉の前面に精度良く取り付けることができる。
【００４２】
また、図１２に例示するように、パネル部材２は、例えば端部を面取りすることにより、傾斜面２ａを有する構成としてもよい。そして、パネル部材２の端部に傾斜面２ａを設けた場合には、金属塗料Ｐ１は、傾斜面２ａの先端部よりも中央側の領域に印刷するように構成するとよい。
【００４３】
この場合、傾斜面２ａは、パネル部材２の表面から裏面側に向かって直線状に傾斜しているが、パネル部材２の裏面までは至っていない。そして、パネル部材２は、傾斜面２ａの先端側に断面円弧状の円弧状部２ｂを有した構成となっている。そのため、本実施形態において、傾斜面２ａの先端部は、当該傾斜面２ａと円弧状部２ｂとの境界部となる。
【００４４】
そして、金属塗料Ｐ１は、この傾斜面２ａの先端部よりも中央側において適宜の領域に印刷することができる。即ち、金蔵塗料Ｐ１は、例えば、ラインＬａよりも中央側の領域に印刷してもよいし、ラインＬｂよりも中央側の領域に印刷してもよいし、ラインＬｃよりも中央側の領域に印刷してもよい。なお、ラインＬａは、傾斜面２ａの先端部からパネル部材２の板厚方向に延びるラインであり、ラインＬｃは、傾斜面２ａの基端部つまりパネル部材２の表面と傾斜面２ａとの境界部からパネル部材２の板厚方向に延びるラインであり、ラインＬｂは、ラインＬａとラインＬｃとの間の適宜の位置、例えば、ラインＬａとラインＬｃとの中間位置からパネル部材２の板厚方向に延びるラインである。
【００４５】
さらに、金属塗料Ｐ１は、例えばラインＬｄよりも先端側に印刷するように構成するとよい。ラインＬｄは、ラインＬａ〜Ｌｃの何れかのラインよりも中央側において適宜の位置に設定することができ、本実施形態では、パネル部材２の円弧状部２ｂの先端部から傾斜面部２ａの基端部までの長さを「Ｄ」として、パネル部材２の円弧状部２ｂの先端部から「２×Ｄ」の距離の位置に設定されており、パネル部材２の板厚方向に沿って延びている。このラインＬｄは、金属塗料Ｐ１の印刷領域についてパネル部材２の中央側の境界を規定するラインとして定義される。一方、先述したラインＬａ〜Ｌｃは、金属塗料Ｐ１の印刷領域についてパネル部材２の先端側の境界を規定するラインとして定義される。
【００４６】
本実施形態に係る冷蔵庫は、貯蔵室を開閉する扉と、前記扉を構成するパネル部材と、を備え、前記パネル部材は、複数の印刷領域を有し、前記印刷領域には、それぞれ、異なる種類の塗料が印刷されている。この構成によれば、パネル部品とは別の部品に依らずともデザイン性の向上を図ることができる。
【００４７】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００４８】
図面中、１は冷蔵庫、２はパネル部材、２ａは傾斜面、３は冷蔵室（貯蔵室）、３ａは冷蔵室扉（扉）、４は野菜室（貯蔵室）、４ａは野菜室扉（扉）、４ｂは手掛け部、５は製氷室（貯蔵室）、５ａは製氷室扉（扉）、６は上部冷凍室（貯蔵室）、６ａは上部冷凍室扉（扉）、７は下部冷凍室（貯蔵室）、７ａは下部冷凍室扉（扉）、８は操作パネル、２１は電極、Ｒ１，Ｒ２は印刷領域、Ｐ１は金属材料（塗料）、Ｐ２は着色用塗料（塗料）を示す。
【図１】
2019002584.tif 000003
【図２】
2019002584.tif 000004
【図３】
2019002584.tif 000005
【図４】
2019002584.tif 000006
【図５】
2019002584.tif 000007
【図６】
2019002584.tif 000008
【図７】
2019002584.tif 000009
【図８】
2019002584.tif 000010
【図９】
2019002584.tif 000011
【図１０】
2019002584.tif 000012
【図１１】
2019002584.tif 000013
【図１２】
2019002584.tif 000014